(57)【要約】【課題】内燃機関の過回転を防止するためのトルク制限制御が行われる場合に、ホールドされた入力トルク情報と、実際のエンジントルクとの間に大きな乖離が生じることによる不具合を解消可能な自動変速機の変速制御装置を提供する。【解決手段】エンジン回転数が、トルク制限制御が実行される比較的高回転にある場合に限り、変速動作の摩擦係合要素のトルク容量を調整するための情報である入力トルク情報をホールドすることなく、リアルタイムに反映させていき、アップシフト動作に伴って入力トルクの急上昇が発生した場合でも、その入力トルクに応じたトルク容量で摩擦係合要素のトルク容量を調整できるようにする。【選択図】図７
2010121730.tif 000002
【特許請求の範囲】
【請求項１】
機関回転数が所定のトルク制限開始回転数に達した場合にトルク制限制御を実行すると共に機関回転数が所定のトルク制限終了回転数を下回った場合にトルク制限制御を解除する内燃機関に接続され、且つ変速動作時に、その変速開始時または変速開始初期時における入力トルク情報をホールドし、そのホールドした入力トルク情報に従って摩擦係合要素のトルク容量を調整しながら自動変速が可能とされた自動変速機の変速制御装置において、
上記機関回転数が上記トルク制限開始回転数に達した状態で変速比を小さくする変速動作が開始されて機関回転数が上記トルク制限終了回転数を下回る場合、上記入力トルク情報のホールドを行うことなく、入力トルクの変化に従って入力トルク情報を変更し、その入力トルク情報に基づいて摩擦係合要素のトルク容量を調整していく摩擦係合要素制御手段を備えていることを特徴とする自動変速機の変速制御装置。
【請求項２】
上記請求項１記載の自動変速機の変速制御装置において、
上記摩擦係合要素制御手段は、入力トルク情報における入力トルクの値が大きいほど摩擦係合要素のトルク容量を高く設定するよう構成されていることを特徴とする自動変速機の変速制御装置。
【請求項３】
上記請求項１または２記載の自動変速機の変速制御装置において、
上記摩擦係合要素制御手段は、アクセル開度が所定開度よりも大きい状況において、変速比を小さくする変速動作が開始され、機関回転数がトルク制限終了回転数を下回ってトルク制限制御が解除される場合に、上記入力トルク情報のホールドを行うことなく、入力トルクの変化に従って入力トルク情報を変更し、その入力トルク情報に基づいて摩擦係合要素のトルク容量を調整していくよう構成されていることを特徴とする自動変速機の変速制御装置。
【発明の詳細な説明】
【技術分野】
【０００１】
本発明は、自動車等に搭載される自動変速機の変速制御装置に係る。特に、本発明は、ディーゼルエンジン等の内燃機関の過回転を防止するトルク制限制御が行われる場合における変速制御の改良に関する。
【背景技術】
【０００２】
従来より、例えば下記の特許文献１及び特許文献２に開示されているように、ディーゼルエンジン等の内燃機関にあっては、過回転防止のための制御が行われている。
【０００３】
例えば、ディーゼルエンジンの場合、アクセル開度等のパラメータに基づいて燃料噴射量（分割燃料噴射が行われる場合にはメイン噴射での噴射量）が制御され、その燃料噴射量によってエンジントルクが決定されることになる。このため、エンジン回転数が最高許容回転数に近付くと、アクセル開度に関わらず燃料噴射量の減量補正を行って、エンジントルクを強制的に低下させ、これによって、エンジン回転数が最高許容回転数を超えないようにしている。以下、この制御を「トルク制限制御」と呼ぶ。
【０００４】
このようなトルク制限制御を実行する際、アクセル開度が比較的小さい状況（例えばアクセル開度３０％）でトルク制限制御が開始された場合には、トルク制限量（燃料噴射量の減量補正により減少するトルク）は比較的小さい。これに対し、アクセル開度が比較的大きい状況（例えばアクセル開度１００％）でトルク制限制御が開始された場合には、上記トルク制限量は比較的大きいものとなる。
【０００５】
以下、図９を用いて具体的に説明する。この図９は、ディーゼルエンジンにおける各アクセル開度（アクセル開度３０％、５０％、１００％）毎のエンジン回転数とエンジントルクとの関係を示している。この図９から判るように、ディーゼルエンジンにあっては、エンジン回転数の低回転域ではエンジン回転数の上昇に伴ってエンジントルクが次第に上昇していき、中回転域において最大トルクに達し、高回転域ではエンジン回転数の上昇に伴ってエンジントルクが次第に低下していく。
【０００６】
今、エンジン回転数が上昇していく場合を考える。エンジン回転数が中回転域から高回転域に達すると、その回転数の上昇に従ってエンジントルクは低下していくと共に、その回転数は最高許容回転数に近付いていく。このため、エンジン回転数が最高許容回転数に達しないように、予め、カットオフ回転数が設定されている。このカットオフ回転数は、上記トルク制限制御の開始時期を規定するためのものである。従って、何れのアクセル開度においても、エンジン回転数がカットオフ回転数に達すると、燃料噴射量の減量補正が行われ、エンジントルクが強制的に低下させられる。そして、図中に示すカットオフラインを超えないように燃料噴射量の減量補正が行われる。この図９に示すものでは、燃料噴射量が所定量まで減量補正されることで、アクセル開度に関わりなくエンジントルクは、図中のカットオフライン上の点Ａに収束するようになっている。
【特許文献１】特開２０００−１８６６０１号公報
【特許文献２】特開２００６−８３８２９号公報
【特許文献３】特開２００４−１５０１１５号公報
【特許文献４】特開２００５−２７３４６８号公報
【発明の開示】
【発明が解決しようとする課題】
【０００７】
ところで、一般に、自動変速機の変速時には、その変速制御に使用する入力トルク情報（イナーシャ相開始以降の変速制御に使用する入力トルク情報）を、変速開始時点での入力トルク情報として継続的にホールドしている。
【０００８】
その理由は、変速途中でのトルクダウンの実施により、入力トルク情報の精度が低下してしまうことを回避するためである。また、回転数変化に伴ってエンジントルクも変動することになり、入力トルクを基準に制御する油圧制御の安定性が悪化してしまうことを回避するためである。
【０００９】
上記図９を用いて説明した動作は、自動変速機の変速段（変速比）が変化しない場合である。
【００１０】
ところが、上述したトルク制限制御の実行中に自動変速機の変速比が小さくなるアップシフトが行われた場合、その変速比の変更（変速比が小さくなる）に伴ってエンジン回転数は低下することになる。そして、エンジン回転数がカットオフ回転数未満まで低下してトルク制限制御が解除されると、上記燃料噴射量は、元の噴射量、つまり、アクセル開度に従った噴射量に復帰することになる。
【００１１】
即ち、アップシフト前は、アクセル開度に関わらず、略一律の低いエンジントルクであったものが、アップシフト後には、アクセル開度に従ったエンジントルクに復帰することになる。このため、アクセル開度が比較的小さい場合には、トルク制限制御が解除された後のエンジントルク上昇量は比較的小さいのに対し、アクセル開度が比較的大きい場合には、トルク制限制御が解除された後のエンジントルク上昇量は非常に大きくなる。
【００１２】
具体的に、図９において、アクセル開度が３０％であった場合のアップシフトに伴うトルク制限制御解除時のエンジントルク上昇量は図中のＴ１である。これに対し、アクセル開度が５０％であった場合のアップシフトに伴うトルク制限制御解除時のエンジントルク上昇量は図中のＴ２である。更に、アクセル開度が１００％であった場合のアップシフトに伴うトルク制限制御解除時のエンジントルク上昇量は図中のＴ３である。このように、アクセル開度が大きいほど、トルク制限制御が解除された後のエンジントルク上昇量は大きくなる。
【００１３】
本発明の発明者は、このように、トルク制限制御が解除されたことによるエンジントルク上昇が、上記自動変速機の変速動作に悪影響を及ぼすことについて着目した。
【００１４】
つまり、上述した如く自動変速機の変速時には入力トルク情報がホールドされる。即ち、トルク制限制御の実行中に変速要求がなされた場合には、トルク制限制御中の入力トルク情報がホールドされることになる。しかしながら、上記変速が開始された場合、上述した如くトルク制限制御の解除に伴ってエンジントルクが上昇するため、上記ホールドされた入力トルク情報と、実際のエンジントルクとの間に大きな乖離が生じることになる。
【００１５】
このため、実際のエンジントルク（変速機の入力トルク）が大きいにも拘わらず、入力トルク情報としては小さなトルク（情報がホールドされたトルク）となっている。その結果、変速時におけるクラッチのトルク容量が不足し、変速に要する時間が長期化してしまうことになる。
【００１６】
一般に、変速開始後、所定時間を経過しても変速が完了しない場合には、クラッチの保護を図るためにクラッチに供給する係合油圧を強制的に上昇させて変速を完了させている。この場合、上述した如くクラッチのトルク容量が不足した状態から係合油圧が強制的に上昇することになり、変速機の出力トルクが急上昇し、大きな変速ショックを招いてしまって乗員に違和感を与えてしまうことになる。
【００１７】
また、上記各特許文献にあっても、上記トルク制限制御の解除に伴ってエンジントルクが上昇することで、上記ホールドされた入力トルク情報と、実際のエンジントルクとの間に大きな乖離が生じることに関しては何ら解決手段は開示されていない。
【００１８】
本発明は、かかる点に鑑みてなされたものであり、その目的とするところは、内燃機関の過回転を防止するためのトルク制限制御が行われる場合に、ホールドされた入力トルク情報と、実際のエンジントルクとの間に大きな乖離が生じることによる不具合を解消可能な自動変速機の変速制御装置を提供することにある。
【課題を解決するための手段】
【００１９】
−課題の解決原理−
上記の目的を達成するために講じられた本発明の解決原理は、内燃機関の回転数が、上記トルク制限制御が実行される比較的高回転にある場合に限り、上記入力トルク情報（変速動作時における摩擦係合要素のトルク容量を調整するための情報）をホールドすることなく、実際の入力トルクをリアルタイムに反映させていくようにしている。これにより、アップシフト動作に伴って入力トルクの急上昇が発生した場合でも、摩擦係合要素のトルク容量を入力トルクに適した値に調整できるようにしている。
【００２０】
−解決手段−
具体的に、本発明は、機関回転数が所定のトルク制限開始回転数に達した場合にトルク制限制御を実行すると共に機関回転数が所定のトルク制限終了回転数を下回った場合にトルク制限制御を解除する内燃機関に接続され、且つ変速動作時に、その変速開始時または変速開始初期時における入力トルク情報をホールドし、そのホールドした入力トルク情報に従って摩擦係合要素のトルク容量を調整しながら自動変速が可能とされた自動変速機の変速制御装置を前提とする。この自動変速機の変速制御装置に対し、上記機関回転数が上記トルク制限開始回転数に達した状態で変速比を小さくする変速動作が開始されて機関回転数が上記トルク制限終了回転数を下回る場合、上記入力トルク情報のホールドを行うことなく、入力トルクの変化に従って入力トルク情報を変更し、その入力トルク情報に基づいて摩擦係合要素のトルク容量を調整していく摩擦係合要素制御手段を備えさせている。
【００２１】
この場合、上記摩擦係合要素制御手段は、入力トルク情報における入力トルクの値が大きいほど摩擦係合要素のトルク容量を高く設定することになる。
【００２２】
ここで、上記「トルク制限開始回転数」と「トルク制限終了回転数」とは同一回転数であってもよいし、互いに異なる回転数であってもよい。
【００２３】
この特定事項により、上記機関回転数が上記トルク制限開始回転数よりも低い場合には、変速動作時に、変速開始時または変速開始初期時における入力トルク情報をホールドし、そのホールドした入力トルク情報に従って摩擦係合要素のトルク容量を調整しながら自動変速を行う。これにより、安定した入力トルク情報に従った自動変速が可能となる。
【００２４】
一方、上記機関回転数が上記トルク制限開始回転数に達した状態で変速比を小さくする変速動作が開始された場合には、入力トルクの変化に従って入力トルク情報を変更していきながら、その入力トルク情報に基づいて摩擦係合要素のトルク容量を調整していくといった自動変速が行われることになる。このため、仮にアクセル開度が大きい状態でトルク制限制御が解除され、内燃機関のトルクが急上昇するような状況となっても、そのトルク変化に応じた摩擦係合要素のトルク容量を得ることができ（内燃機関のトルクが大きいほど、摩擦係合要素のトルク容量を大きくする制御が可能となり）、変速に要する時間が長期化してしまうことが回避される。その結果、変速機の出力トルクの急上昇がなくなり、変速ショックを防止することが可能になる。
【００２５】
上記摩擦係合要素制御手段によるトルク容量の調整動作としては、アクセル開度が所定開度よりも大きい状況において、変速比を小さくする変速動作が開始され、機関回転数がトルク制限終了回転数を下回ってトルク制限制御が解除される場合に、上記入力トルク情報のホールドを行うことなく、入力トルクの変化に従って入力トルク情報を変更し、その入力トルク情報に基づいて摩擦係合要素のトルク容量を調整していくことが挙げられる。
【００２６】
つまり、アクセル開度が比較的小さい場合には、トルク制限制御が解除されたとしても入力トルクの変化量（入力トルクの上昇量）は僅かであるので、入力トルク情報をホールドした自動変速を行う。一方、アクセル開度が比較的大きい場合には、トルク制限制御が解除された場合の入力トルクの変化量（入力トルクの上昇量）は大きいため、この場合に限り、入力トルク情報のホールドを行うことなく、入力トルクの変化に従って入力トルク情報を変更し、その入力トルク情報に基づいた自動変速を行う。これにより、入力トルク情報のホールドを解除する変速動作を必要最小限に抑えることができ、入力トルク情報をホールドすることによる上記効果を十分に得ることができる。
【発明の効果】
【００２７】
本発明では、内燃機関の回転数が、トルク制限制御が実行される比較的高回転にある場合に限り、トルク制限制御の解除時に、入力トルク情報をホールドすることなく、入力トルクをリアルタイムに反映させた変速動作を行うようにしている。これにより、アップシフト動作に伴って入力トルクの急上昇が発生した場合でも、その入力トルクに応じたトルク容量で摩擦係合要素を作動させることができる。その結果、変速に要する時間が長期化してしまうことが回避され、変速機の出力トルクの急上昇がなくなり変速ショックを防止できる。
【発明を実施するための最良の形態】
【００２８】
以下、本発明の実施の形態を図面に基づいて説明する。本実施形態では、前進６速の変速が可能な自動変速機を搭載したＦＦ（フロントエンジン・フロントドライブ）型車両に本発明を適用した場合について説明する。
【００２９】
図１は、本実施形態に係る車両に搭載された動力伝達装置８のスケルトン図である。また、図２は、この動力伝達装置８に備えられた車両用自動変速機（以下、単に自動変速機という）１０において複数の変速段を成立させる際の摩擦係合要素（クラッチ及びブレーキ）の作動状態を示す作動表である。
【００３０】
この自動変速機１０は、シングルピニオン型の第１遊星歯車装置１２を主体として構成されている第１変速部１４と、ダブルピニオン型の第２遊星歯車装置１６及びシングルピニオン型の第３遊星歯車装置１８を主体としてラビニヨ型に構成されている第２変速部２０とを同軸線上に有し、入力軸２２の回転を変速して出力回転部材２４から出力する。
【００３１】
上記入力軸２２は、入力部材に相当するものであり、本実施形態では走行用の動力源であるエンジン２８によって回転駆動されるトルクコンバータ３０のタービン軸である。また、上記出力回転部材２４は、自動変速機１０の出力部材に相当するものであり、図４に示す差動歯車装置３４に動力を伝達するためにデフドリブンギヤ（大径歯車）３６と噛み合う出力歯車すなわちデフドライブギヤとして機能している。
【００３２】
上記エンジン２８の出力は、トルクコンバータ３０、自動変速機１０、差動歯車装置３４、及び１対の車軸３８，３８を介して１対の駆動輪（前輪）４０，４０へ伝達されるようになっている。なお、この自動変速機１０は中心線に対して略対称的に構成されており、図１ではその中心線の下半分を省略している。
【００３３】
上記エンジン２８は、気筒内噴射される燃料の燃焼によって駆動力を発生させるディーゼルエンジン等の内燃機関である。また、上記トルクコンバータ３０は、上記エンジン２８のクランク軸に連結されたポンプインペラ３０ａと、上記自動変速機１０の入力軸２２に連結されたタービンランナ３０ｂと、一方向クラッチを介して上記自動変速機１０のハウジング（変速機ケース）２６に連結されたステータ３０ｃとを備えており、上記エンジン２８により発生した動力を上記自動変速機１０へ流体を介して伝達する流体伝動装置である。また、上記ポンプインペラ３０ａ及びタービンランナ３０ｂの間には、直結クラッチであるロックアップクラッチ３２が設けられており、油圧制御等により係合状態、スリップ状態、或いは解放状態とされるようになっている。このロックアップクラッチ３２が完全係合状態とされた場合には、上記ポンプインペラ３０ａ及びタービンランナ３０ｂが一体回転することになる。
【００３４】
図２に示す作動表は、上記自動変速機１０において成立する各変速段とクラッチＣ１，Ｃ２、ブレーキＢ１，Ｂ２，Ｂ３の作動状態との関係をまとめたものである。図中の「○」は係合、「◎」はエンジンブレーキ時に作動、「△」は駆動時にのみ作動、「空欄」は解放をそれぞれ表している。上記自動変速機１０に備えられたクラッチＣ１，Ｃ２、及びブレーキＢ１，Ｂ２，Ｂ３（以下、特に区別しない場合は単にクラッチＣ、ブレーキＢという）は、多板式のクラッチやブレーキなど油圧アクチュエータによって係合制御される油圧式摩擦係合要素である。また、これらクラッチＣ及びブレーキＢは、図３を用いて後述する油圧制御回路４２のリニアソレノイドバルブＳＬ１〜ＳＬ５の励磁、非励磁や電流制御により、係合、解放状態が切り換えられると共に、係合、解放時の過渡油圧などが制御されるようになっている。
【００３５】
上記自動変速機１０では、上記第１変速部１４及び第２変速部２０の各回転要素（サンギヤＳ１〜Ｓ３、キャリアＣＡ１〜ＣＡ３、リングギヤＲ１〜Ｒ３）の連結状態の組み合わせに応じて第１変速段「１ｓｔ」〜第６変速段「６ｔｈ」の６つの前進変速段が成立させられると共に、後進変速段「Ｒ」が成立させられる。
【００３６】
以下、自動変速機１０のギヤレイアウトについて具体的に説明する。
【００３７】
第１変速部１４を構成している第１遊星歯車装置１２は、サンギヤＳ１、キャリアＣＡ１、及び、リングギヤＲ１の３つの回転要素を備えており、サンギヤＳ１が入力軸２２に連結されている。更に、サンギヤＳ１は、リングギヤＲ１が第３ブレーキＢ３を介してハウジング２６に固定されることにより、キャリヤＣＡ１を中間出力部材として回転するようになっている。
【００３８】
第２変速部２０を構成している第２遊星歯車装置１６及び第３遊星歯車装置１８においては、一部が互いに連結されることによって４つの回転要素ＲＭ１〜ＲＭ４が構成されている。
【００３９】
具体的には、第２遊星歯車装置１６のサンギヤＳ２によって第１回転要素ＲＭ１が構成されており、第２遊星歯車装置１６のリングギヤＲ２及び第３遊星歯車装置１８のリングギヤＲ３が互いに連結されて第２回転要素ＲＭ２が構成されている。更に、第２遊星歯車装置１６のキャリアＣＡ２及び第３遊星歯車装置１８のキャリアＣＡ３が互いに連結されて第３回転要素ＲＭ３が構成されている。また、第３遊星歯車装置１８のサンギヤＳ３によって第４回転要素ＲＭ４が構成されている。
【００４０】
上記第２遊星歯車装置１６及び第３遊星歯車装置１８は、キャリアＣＡ２及びＣＡ３が共通の部材にて構成されているとともに、リングギヤＲ２及びＲ３が共通の部材にて構成されている。更に、第３遊星歯車装置１８のピニオンギヤが第２遊星歯車装置１６の第２ピニオンギヤを兼ねているラビニヨ型の遊星歯車列とされている。
【００４１】
第１回転要素ＲＭ１（サンギヤＳ２）は、中間出力部材である第１遊星歯車装置１２のキャリアＣＡ１に一体的に連結されており、第１ブレーキＢ１によってハウジング２６に選択的に連結されて回転停止される。第２回転要素ＲＭ２（リングギヤＲ２及びＲ３）は、第２クラッチＣ２を介して入力軸２２に選択的に連結される一方、ワンウェイクラッチＦ１及び第２ブレーキＢ２を介してハウジング２６に選択的に連結されて回転停止される。
【００４２】
第３回転要素ＲＭ３（キャリアＣＡ２及びＣＡ３）は出力回転部材２４に一体的に連結されている。第４回転要素ＲＭ４（サンギヤＳ３）は、第１クラッチＣ１（発進用摩擦係合要素）を介して入力軸２２に選択的に連結される。
【００４３】
以上の自動変速機１０では、摩擦係合要素である第１クラッチＣ１、第２クラッチＣ２、第１ブレーキＢ１、第２ブレーキＢ２、第３ブレーキＢ３、及び、ワンウエイクラッチＦ１などが、所定の状態に係合または解放されることによって変速段（ギヤ段）が設定される。
【００４４】
図２の作動表に示すように、例えば前進変速段では、クラッチＣ１及びブレーキＢ２の係合により第１変速段「１ｓｔ」が、クラッチＣ１及びブレーキＢ１の係合により第２変速段「２ｎｄ」が、クラッチＣ１及びブレーキＢ３の係合により第３変速段「３ｒｄ」が、クラッチＣ１及びクラッチＣ２の係合により第４変速段「４ｔｈ」が、クラッチＣ２及びブレーキＢ３の係合により第５変速段「５ｔｈ」が、クラッチＣ２及びブレーキＢ１の係合により第６変速段「６ｔｈ」が、それぞれ成立させられるようになっている。
【００４５】
また、ブレーキＢ２及びブレーキＢ３の係合により後進変速段「Ｒｅｖ」が成立させられ、クラッチＣ、ブレーキＢのいずれもが解放されることによりニュートラル状態となるように構成されている。
【００４６】
このようなクラッチＣ１，Ｃ２及びブレーキＢ１，Ｂ２，Ｂ３の切り換え動作により各変速段が成立するようになっており、特に、第２変速段「２ｎｄ」と第３変速段「３ｒｄ」との間での切り換え動作、第３変速段「３ｒｄ」と第４変速段「４ｔｈ」との間での切り換え動作、第４変速段「４ｔｈ」と第５変速段「５ｔｈ」との間での切り換え動作、第５速変速段「５ｔｈ」と第６変速段「６ｔｈ」との間での切り換え動作それぞれにあっては、ある１つの摩擦係合要素（クラッチ或いはブレーキ）を解放すると共に他の１つの摩擦係合要素（クラッチ或いはブレーキ）を係合させるクラッチツークラッチ変速となっている。
【００４７】
本実施例の自動変速機１０では、第１変速段「１ｓｔ」を成立させるブレーキＢ２には並列に一方向クラッチＦ１が設けられているため、発進時（加速時）には必ずしもブレーキＢ２を係合させる必要は無いものとなっている。また、各変速段の変速比は、第１遊星歯車装置１２、第２遊星歯車装置１６、及び第３遊星歯車装置１８の各ギヤ比（＝サンギヤの歯数／リングギヤの歯数）ρ１、ρ２、ρ３によって適宜定められる。
【００４８】
また、自動変速機１０の入力軸２２の回転数（タービン回転数）はタービン回転数センサ７０によって検出される。自動変速機１０の出力回転部材２４の回転数は車速センサ（出力軸回転数センサ）５８によって検出される。これらタービン回転数センサ７０及び車速センサ５８の出力信号から得られる回転数の比（出力回転数／入力回転数）に基づいて、自動変速機１０の現在の変速段を判定することができる。
【００４９】
図３は、上記動力伝達装置８に備えられた油圧制御回路４２のうちリニアソレノイドバルブＳＬ１，ＳＬ２，ＳＬ３，ＳＬ４，ＳＬ５に関する部分を示す回路図である。この図３に示すように、上記油圧制御回路４２では、ライン油圧ＰＬを元圧としてリニアソレノイドバルブＳＬ１〜ＳＬ５により電子制御装置４４からの指令信号に応じた油圧が調圧され、上記自動変速機１０に備えられたクラッチＣ１，Ｃ２、ブレーキＢ１，Ｂ２，Ｂ３の各油圧アクチュエータ（油圧シリンダ等）ＡC1，ＡC2，ＡB1，ＡB2，ＡB3にそれぞれ係合圧が供給されるようになっている。このライン油圧ＰＬは、上記エンジン２８によって回転駆動される機械式のオイルポンプや電動オイルポンプからの出力圧から図示しないリリーフ型調圧弁等により、アクセル操作量（以下、アクセル開度という場合もある）ＡCCで表されるエンジン負荷等に応じた値に調圧されるようになっている。また、上記リニアソレノイドバルブＳＬ１〜ＳＬ５は、基本的には何れも同じ構成とされたものであり、各リニアソレノイドバルブＳＬ１〜ＳＬ５からの出力圧(係合圧) は、ソレノイドの電磁力に従って入力ポートと出力ポート又はドレーンポートとの間の連通状態が変化させられることにより出力圧が調圧制御され、上記油圧アクチュエータＡC1，ＡC2，ＡB1，ＡB2，ＡB3に供給される。このようにして、各リニアソレノイドバルブＳＬ１〜ＳＬ５にそれぞれ備えられたソレノイドは、電子制御装置４４により独立に励磁され、各油圧アクチュエータＡC1，ＡC2，ＡB1，ＡB2，ＡB3の油圧（係合圧）が独立に調圧制御されるようになっている。
【００５０】
図４は、上記動力伝達装置８等を制御するために車両に設けられた電気的な制御系統を説明するブロック図である。この図４に示す電子制御装置４４は、例えばＲＯＭ、ＲＡＭ、ＣＰＵ、入出力インターフェースなどを含む所謂マイクロコンピュータである。ＣＰＵはＲＡＭの一時記憶機能を利用しつつＲＯＭに予め記憶されたプログラムに従って入力信号を処理することで、上記動力伝達装置８に関する種々の制御等を実行する。
【００５１】
また、所謂アクセル開度として知られるアクセルペダル４６の操作量ＡCCがアクセル操作量センサ４８により検出されると共に、そのアクセル操作量ＡCCを表す信号が電子制御装置４４に供給されるようになっている。このアクセルペダル４６は、運転者の出力要求量に応じて踏み込み操作されるものであり、アクセル操作部材に相当し、アクセル操作量ＡCCは出力要求量に相当する。また、上記エンジン２８の吸気配管には電子スロットル弁（ディーゼルスロットル）７４が設けられており、上記電子制御装置４４により制御されるスロットルアクチュエータ７６によってスロットル開度θTHが変化させられるようになっている。また、上記エンジン２８には、燃料噴射量制御のための燃料噴射弁（インジェクタ）７８が設けられており、上記電子制御装置４４により燃料噴射弁７８による燃料噴射量の制御が行われるようになっている。
【００５２】
また、上記動力伝達装置８には、上記エンジン２８の回転速度（エンジン回転数）ＮEを検出するためのエンジン回転速度センサ５０、エンジン２８の吸入空気量Ｑを検出するための吸入空気量センサ（エアフローメータ）５２、吸入空気の温度ＴAを検出するための吸入空気温度センサ５４、電子スロットル弁７４の開度θTHを検出するためのスロットルセンサ５６、車速Ｖ（出力回転部材２４の回転速度（回転数）ＮOUTに対応）を検出するための車速センサ５８、エンジン２８の冷却水温ＴWを検出するための冷却水温センサ６０、常用ブレーキであるフットブレーキペダル６２の操作の有無を検出するためのブレーキスイッチ６４、シフトレバー６６のレバーポジション（操作位置）ＰSHを検出するためのレバーポジションセンサ６８、タービン回転速度（タービン回転数、自動変速機１０の入力軸回転数）ＮTを検出するためのタービン回転数センサ７０、油圧制御回路４２内の作動油の温度であるＡＴ油温ＴOILを検出するためのＡＴ油温センサ７２等が設けられている。
【００５３】
それらのセンサやスイッチから、エンジン回転速度ＮE、吸入空気量Ｑ、吸入空気温度ＴA、スロットル開度θTH、車速Ｖ、エンジン冷却水温ＴW、ブレーキ操作の有無、シフトレバー６６のレバーポジションＰSH、タービン回転速度ＮT、ＡＴ油温ＴOILなどを表す信号が電子制御装置４４に供給されるようになっている。なお、上記タービン回転速度ＮTは、上記自動変速機１０の入力軸２２の回転速度（入力軸回転速度ＮIN）に等しい。
【００５４】
上記電子制御装置４４は、基本的な制御として、アクセル操作量ＡCC（％）等の各種パラメータに基づいて燃料噴射タイミング（パイロット噴射やメイン噴射やアフター噴射等の噴射タイミング）や燃料噴射量の制御を行う。また、図５に示すような予め記憶された関係から実際のアクセル操作量ＡCC（％）と車速Ｖ（ｋｍ／ｈ）等とに基づいて上記自動変速機１０のギヤ段を自動的に切り換える変速制御を行う。更に、予め記憶された関係から車速Ｖ及びアクセル操作量ＡCC等に基づいて上記トルクコンバータ３０に備えられたロックアップクラッチ３２の係合、解放、或いはスリップを実行する制御を行う。
【００５５】
図６は、上記シフトレバー６６を備えたシフト操作装置８２を説明する図である。このシフト操作装置８２は例えば運転席の横に配設されており、そのシフト操作装置８２に備えられたシフトレバー６６は、５つのレバーポジション「Ｐ」、「Ｒ」、「Ｎ」、「Ｄ」、又は「Ｓ」へ手動操作されるようになっている。「Ｐ」ポジションは上記自動変速機１０内の動力伝達経路を解放し且つメカニカルパーキング機構によって機械的に出力回転部材２４の回転を阻止（ロック）するための駐車位置である。「Ｒ」ポジションは上記自動変速機１０の出力回転部材２４の回転方向を逆回転とするための後進走行位置である。「Ｎ」ポジションは上記自動変速機１０内の動力伝達経路を解放するための動力伝達遮断位置である。「Ｄ」ポジションは上記自動変速機１０の第１変速段〜第６変速段の変速を許容する変速範囲（Ｄレンジ）で自動変速制御を実行させる前進走行位置である。「Ｓ」ポジションはシフトレバー６６の手動操作によって変速段を切り換え可能な前進走行位置である。この「Ｓ」ポジションにおいては、上記シフトレバー６６の操作毎に変速段をアップ側にシフトさせるための「＋」ポジション、シフトレバー６６の操作毎に変速段をダウン側にシフトさせるための「−」ポジションが備えられている。
【００５６】
図５は、自動変速機１０による変速動作を制御するために、上記ＲＯＭに予め記憶された変速線図（変速マップ）である。この変速線図から実際のアクセル操作量ＡCC（％）又はスロットル開度θTH（％）と車速Ｖ（km/h）とに基づいて上記自動変速機１０の変速を判断し、この判断された変速段及び係合状態が得られるように上記油圧制御回路４２に備えられたリニアソレノイドバルブＳＬ１〜ＳＬ５を制御する。
【００５７】
具体的には、上記電子制御装置４４は、車速センサ５８の出力信号から車速Ｖを算出するとともに、アクセル操作量センサ４８の出力信号からアクセルペダル４６の操作量ＡCCを算出し、それら車速Ｖ及びアクセル操作量ＡCCに基づいて、図５の変速線図を参照して目標ギヤ段を算出する。更に、タービン回転数センサ７０及び車速センサ５８の出力信号から得られる回転数の比（出力回転数／入力回転数）を求めて現在ギヤ段を判定し、その現在ギヤ段と目標ギヤ段とを比較して変速操作が必要であるか否かを判定する。
【００５８】
その判定結果により、変速の必要がない場合（現在ギヤ段と目標ギヤ段とが同じで、ギア段が適切に設定されている場合）には、現在ギヤ段を維持するソレノイド制御信号（油圧指令信号）を自動変速機１０の油圧制御回路４２に出力する。
【００５９】
一方、現在ギヤ段と目標ギヤ段とが異なる場合には変速制御を行う。例えば、自動変速機１０のギヤ段が「２速」の状態で走行している状況から、車両の走行状態が変化して、例えば図５に示す点Ａから点Ｂに変化した場合、アップシフト変速線［２→３］を跨ぐ変化となるので、変速線図から算出される目標ギヤ段が「３速」となり、その３速のギヤ段を設定するソレノイド制御信号（油圧指令信号）を自動変速機１０の油圧制御回路４２に出力して、２速のギヤ段から３速のギヤ段への変速（２→３アップ変速）を行う。
【００６０】
−トルク制限制御−
次に、上記エンジン２８において実施されるトルク制限制御について説明する。このトルク制限制御は、上記エンジン回転速度センサ５０によって検出されているエンジン２８の回転数ＮEが最高許容回転数に近付くと、アクセル操作量（アクセル開度）ＡCCに関わらず、つまり、運転者のトルク要求に関わらず、燃料噴射弁７８からの燃料噴射量の減量補正を行って、エンジントルクを強制的に低下させ、これによって、エンジン回転数が最高許容回転数を超えないようにするための制御である。
【００６１】
具体的には、エンジン２８の保護を図るべくエンジン回転数が最高許容回転数に達しないように、予め、カットオフ回転数（本発明でいうトルク制限開始回転数及びトルク制限終了回転数）が設定されている。このカットオフ回転数は、図９を用いて既に説明したように、上記トルク制限制御の開始時期を規定するためのものであり、何れのアクセル開度においても、エンジン回転数がカットオフ回転数に達すると、燃料噴射量の減量補正が行われ、エンジントルクが強制的に低下させられる。そして、図９中に示すカットオフラインを超えないように燃料噴射量の減量補正が行われる。このトルク制限制御が継続された場合、例えば、アップシフトが行われることなくトルク制限制御が継続した場合、燃料噴射量が所定量まで減量補正されることで、アクセル開度に関わりなくエンジントルクは、図９中のカットオフライン上の点Ａに収束するようになっている。
【００６２】
−アップシフト変速制御−
次に、本実施形態の特徴とする動作であるアップシフト変速制御について説明する。
【００６３】
上記自動変速機１０において、上記トルク制限制御の実行中に自動変速機１０の変速比が小さくなるアップシフトが行われた場合（例えば、上記シフトレバー６６の手動操作によってアップシフトされた場合）、その変速比の変更（変速比が小さくなる）に伴ってエンジン回転数ＮEは低下することになる。このエンジン回転数ＮEの低下により、そのエンジン回転数ＮEがカットオフ回転数を下回ってトルク制限制御が解除されると、上記燃料噴射量は、元の噴射量、つまり、アクセル開度に従った噴射量に復帰することになる。
【００６４】
即ち、アップシフト前は、アクセル開度に関わらず、略一律の低いエンジントルクであったものが（例えば図９におけるカットオフライン上の点Ａにあったものが）、アップシフト後には、アクセル開度に比例したエンジントルクに復帰することになる。このため、アクセル開度が比較的小さい場合には、トルク制限制御が解除された後のエンジントルク上昇量は比較的小さいのに対し（図９におけるトルク上昇量Ｔ１を参照）、アクセル開度が比較的大きい場合には、トルク制限制御が解除された後のエンジントルク上昇量は非常に大きくなる（図９におけるトルク上昇量Ｔ３を参照）。このため、従来の如く変速時に入力トルク情報をホールドするものにあっては、変速が開始された場合、上述した如くトルク制限制御の解除に伴ってエンジントルクが上昇するため、上記ホールドされた入力トルク情報と、実際のエンジントルクとの間に大きな乖離が生じることになる。そして、所定時間内に変速を完了させるべく、変速途中でクラッチＣやブレーキＢに供給する係合油圧を強制的に上昇させることになるため、変速機の出力トルクが急上昇し、大きな変速ショックを招いてしまっていた。
【００６５】
本実施形態のアップシフト変速制御は、この変速ショックを防止するべく、トルク制限制御の実行中にアップシフト動作が開始された場合、上記入力トルク情報のホールドを行うことなく、入力トルクの変化に従って入力トルク情報を変更していき、その入力トルク情報に基づいてクラッチＣやブレーキＢのトルク容量を調整していくようにしている（摩擦係合要素制御手段によるトルク容量調整制御）。
【００６６】
以下、本実施形態に係るパワーオンアップシフト変速制御の手順を図７のフローチャートに沿って説明する。この図７に示した制御ルーチンは、エンジン２８の起動後、所定時間毎に繰り返して実行される。
【００６７】
先ず、ステップＳＴ１において、パワーオンアップシフト制御の実行中であるか否かを判定する。ここでは、例えば、アクセル操作量センサ４８の出力信号からアクセルペダル４６の操作量ＡCCを算出し、その操作量ＡCCが所定量（例えばアクセル開度２０％）以上であって、エンジントルクが発生している（エンジンが被駆動状態ではない）こと、及び、上記図５の変速線図に従って行われる変速動作が、現在、アップシフト側への変速動作中であることが共に認識された場合や、シフトレバー６６の手動操作によってアップシフトされた場合に、このステップＳＴ１でＹＥＳ判定される。尚、上記アクセル操作量ＡCCの所定量としては上記値に限定されるものではない。
【００６８】
パワーオンアップシフト制御の実行中でない場合には、ステップＳＴ１でＮＯ判定され、本制御ルーチンを一旦終了する。
【００６９】
一方、パワーオンアップシフト制御の実行中である場合には、ステップＳＴ１でＹＥＳ判定され、ステップＳＴ２に移る。このステップＳＴ２では、上記エンジン回転速度センサ５０によって検出されているエンジン回転数ＮEが所定のカットオフ回転数を超えているか否かを判定する。このカットオフ回転数は、エンジン２８の最高許容回転数よりも僅かに低い回転数（例えば５００ｒｐｍ程度低い回転数）として設定されている。例えば、エンジン２８の最高許容回転数が８０００ｒｐｍである場合、カットオフ回転数は７５００ｒｐｍに設定される。これら値はこれに限定されるものではない。
【００７０】
上記エンジン回転数ＮEがカットオフ回転数を超えていない場合には、ステップＳＴ２でＮＯ判定され、ステップＳＴ３に移る。
【００７１】
ステップＳＴ３では、従来と同様に、入力トルク情報がホールド（変速開始時または変速開始初期時における自動変速機１０の入力トルクが変速制御用の入力トルク情報としてホールド）され、このホールドされた入力トルク情報に従って自動変速機１０のクラッチへの供給油圧が調整されることになる。この入力トルク情報のホールドは、変速途中でのトルクダウンの実施により、入力トルク情報の精度が低下してしまうことを回避するためである。また、回転変化に伴ってエンジントルクも変動することになり、入力トルクを基準に制御する油圧制御の安定性が低下してしまうことを回避するためでもある。この入力トルク情報のホールドによって、エンジン回転数ＮEがカットオフ回転数を超えていない運転領域にあっては、安定した入力トルク情報に従った自動変速が可能となる。
【００７２】
そして、この入力トルク情報をホールドした状態で変速制御が終了した場合にはステップＳＴ５においてＹＥＳ判定され、本パワーオンアップシフト変速制御を終了する。
【００７３】
一方、上記ステップＳＴ２の判定において、エンジン回転数ＮEがカットオフ回転数を超えている場合には、ステップＳＴ２でＹＥＳ判定され、ステップＳＴ４に移る。
【００７４】
このステップＳＴ４では、入力トルク情報のホールドを解除し、入力トルクの変化に従って入力トルク情報を変更していきながら、その入力トルク情報に基づいてクラッチＣやブレーキＢのトルク容量を調整していくといった自動変速が行われることになる。つまり、上述した如く、アクセル開度が比較的大きい状況で、トルク制限制御が解除された場合、その解除後のエンジントルク上昇量は非常に大きくなるので、この上昇するエンジントルク（自動変速機１０の入力トルク）に応じてクラッチＣやブレーキＢのトルク容量も大きくなるように供給油圧を高く設定するような油圧調整動作が行われる。このため、仮にアクセル開度が大きい状態でアップシフトが行われてトルク制限制御が解除され、エンジン２８のトルクが急上昇するような状況となっても、そのトルクに応じたクラッチＣやブレーキＢのトルク容量（入力トルクに応じた大きなトルク容量）を得ることができ、変速に要する時間が長期化してしまうことが回避される。その結果、自動変速機１０の出力トルクの急上昇がなくなり、変速ショックを防止することが可能になる。
【００７５】
そして、このようにして入力トルクの変化に従って入力トルク情報を変更していきながら、その入力トルク情報に基づいてクラッチＣやブレーキＢのトルク容量を調整していくといった自動変速が終了した場合にはステップＳＴ５においてＹＥＳ判定され、本パワーオンアップシフト変速制御を終了する。
【００７６】
図８は、トルク制限制御の実行中にアップシフト動作が開始された場合（例えば「２速」から「３速」へのクラッチツークラッチ変速が行われた場合）におけるタービン回転数、自動変速機１０の出力トルク、変速制御用の入力トルク情報、油圧指令値の変化を示すタイミングチャートである。この図８では、従来の変化、つまり入力トルク情報をホールドする場合の変化を破線で示し、本実施形態の変化、つまり入力トルク情報のホールドを解除した場合の変化を実線で示している。
【００７７】
図８の破線で示すように、従来では、トルク制限制御の実行中にアップシフト動作が開始されたことで、エンジントルクが急上昇しているにも拘わらず、入力トルク情報がホールドされていたために油圧指令値が低い状態が維持され、クラッチのトルク容量不足に起因して所定時間を経過しても変速が完了しない状況を招いていた。そして、クラッチＣやブレーキＢの保護を図るために、変速開始から所定時間経過後（図中のタイミングＴ０）にクラッチＣやブレーキＢに供給する係合油圧を強制的に上昇させていた。このため、自動変速機１０の出力トルクが急上昇し、大きな変速ショックを招いてしまって乗員に違和感を与えてしまっていた（図中に一点鎖線で囲んだＸ部分を参照）。
【００７８】
これに対し、本実施形態では、入力トルク情報をホールドすることなく、トルク制限制御の実行中にアップシフト動作が開始されたことで、エンジントルクが急上昇している場合には、自動変速機１０の入力トルクの上昇分に応じた油圧指令値を出力し、クラッチのトルク容量を高く設定するような係合油圧が得られることになる。このため、変速動作を短期間で完了（図８におけるタイミングＴ１）することができ、大きな変速ショックを招くといったこともなくなる。
【００７９】
（変形例）
次に、本発明の変形例について説明する。上記実施形態では、アクセル開度に関わりなく、エンジン回転数ＮEがカットオフ回転数を超えている状態でアップシフトされてトルク制限制御が解除された場合には、入力トルク情報のホールドを解除し、入力トルクの変化に従って入力トルク情報を変更していきながら自動変速を行うようにしていた。
【００８０】
本変形例は、それに代えて、アクセル開度が所定量以上（例えば４０％以上）である場合に限り、エンジン回転数ＮEがカットオフ回転数を超えている状態でアップシフトされてトルク制限制御が解除された場合に、入力トルク情報のホールドを解除し、入力トルクの変化に従って入力トルク情報を変更していきながら自動変速を行うようにするものである。上記アクセル開度の所定量は上記値に限定されるものではない。
【００８１】
このように、アクセル開度が所定量以上である場合に限り、本発明の制御（入力トルク情報のホールドを解除して自動変速を行う制御）を実施することにより、以下の作用効果を得ることができる。
【００８２】
つまり、アクセル開度が比較的小さい場合には、トルク制限制御が解除されたとしても入力トルクの変化量（入力トルクの上昇量）は僅かである（図９におけるエンジントルク上昇量Ｔ１を参照）。このため、この場合には、入力トルク情報をホールドする従来の制御を実行しても大きな変速ショックを招くことはない。
【００８３】
これに対し、アクセル開度が比較的大きい場合には、トルク制限制御が解除された場合の入力トルクの変化量（入力トルクの上昇量）は大きい（図９におけるエンジントルク上昇量Ｔ３を参照）。このため、この場合に限り、入力トルク情報のホールドを行うことなく、自動変速機１０の入力トルクの変化に従って入力トルク情報を変更し、その入力トルク情報に基づいた自動変速を行うようにする。
【００８４】
本変形によれば、入力トルク情報のホールドを解除する変速動作を必要最小限に抑えることができる。つまり、アクセル開度が比較的小さく、トルク制限制御が解除されても大きな変速ショックを招くことがないにも拘わらず入力トルク情報のホールドを解除するといった状況が回避される。このため、入力トルク情報をホールドすることによる上記効果を十分に得ることが可能である。
【００８５】
−他の実施形態−
以上説明した実施形態及び変形例は、前進６速の変速が可能な自動変速機１０を搭載したＦＦ型車両に本発明を適用した場合について説明した。本発明はこれに限らず、前進５速や前進８速等の変速が可能な自動変速機を搭載した車両や、ＦＲ（フロントエンジン・リヤドライブ）型車両や４輪駆動車に適用することも可能である。
【００８６】
また、上述した実施形態及び変形例では、ディーゼルエンジンを搭載した車両に本発明を適用した場合について説明したが、ガソリンエンジン等の他のエンジンを搭載した車両に対しても本発明は適用可能である。また、車両の動力源については、エンジン（内燃機関）のほか、電動モータ、あるいはエンジンと電動モータの両方を備えているハイブリッド形動力源であってもよい。
【図面の簡単な説明】
【００８７】
【図１】実施形態に係る車両に搭載された動力伝達装置のスケルトン図である。
【図２】自動変速機の作動表を示す図である。
【図３】油圧制御回路のうちリニアソレノイドバルブに関する部分を示す油圧回路図である。
【図４】動力伝達装置及びエンジンを制御するために車両に設けられた電気的な制御系統を示すブロック図である。
【図５】自動変速機の変速線図である。
【図６】シフト操作装置を示す図である。
【図７】実施形態に係る変速制御の手順を示すフローチャート図である。
【図８】トルク制限制御の実行中にアップシフト動作が開始された場合におけるタービン回転数、自動変速機の出力トルク、変速制御用入力トルク情報、油圧指令値それぞれの変化を示すタイミングチャート図である。
【図９】ディーゼルエンジンにおける各アクセル開度毎のエンジン回転数とエンジントルクとの関係を示す図である。
【符号の説明】
【００８８】
１０        自動変速機
２８        エンジン（内燃機関）
４６        アクセルペダル
４８        アクセル操作量センサ
Ｃ１，Ｃ２  クラッチ（摩擦係合要素）
Ｂ１〜Ｃ３  ブレーキ（摩擦係合要素）
【図１】
2010121730.tif 000003
【図２】
2010121730.tif 000004
【図３】
2010121730.tif 000005
【図４】
2010121730.tif 000006
【図５】
2010121730.tif 000007
【図６】
2010121730.tif 000008
【図７】
2010121730.tif 000009
【図８】
2010121730.tif 000010
【図９】
2010121730.tif 000011